(57)【要約】【課題】足裏に対する衝撃の緩和を図ることができるとともに、足裏の土踏まずに対する押圧効果を十分に行わせることができる靴底用中敷を提供する。【解決手段】靴底に装着可能であるとともに可撓性部材から成る中敷本体と、該中敷本体内に形成され、液体Ｗを流動可能に封入し得る収容空間と、収容空間を靴底のつま先領域Ａａ、踵領域Ｃ及びそれらの間に位置する中間領域Ｂに区分けする堰部２ａ、２ｂ及び３ａ、３ｂと、該堰部で区分けされた隣り合う領域間で、液体Ｗが流動するオリフィス部Ｒ１、Ｒ２とを備えた靴底用中敷であって、踵領域Ｃと中間領域Ｂとを区分けする堰部に形成されたオリフィス部Ｒ２は、中敷本体の側縁部５ａに向かって開口し、当該踵領域Ｃから流動する液体Ｗが当該中間領域Ｂにて渦流を形成可能としたものである。【選択図】図１
2007301275.tif 000002
【特許請求の範囲】
【請求項１】
靴底に装着可能であるとともに可撓性部材から成る中敷本体と、
該中敷本体内に形成され、液体を流動可能に封入し得る収容空間と、
前記収容空間を靴底のつま先領域、踵領域及びそれらの間に位置する中間領域に区分けする堰部と、
該堰部で区分けされた隣り合う領域間で、前記液体が流動するオリフィス部と、
を備えた靴底用中敷であって、
前記踵領域と中間領域とを区分けする堰部に形成されたオリフィス部は、前記中敷本体の側縁部に向かって開口し、当該踵領域から流動する液体が当該中間領域略全体に亘って渦流を形成可能としたことを特徴とする靴底用中敷。
【請求項２】
前記踵領域と中間領域とを区分けする堰部に形成されたオリフィス部は、前記中敷本体の側縁部であって当該中敷本体が装着される靴の土踏まず部に相当する位置に向かって開口したことを特徴とする請求項１記載の靴底用中敷。
【請求項３】
前記中敷本体は、柔軟な合成樹脂シートから成ることを特徴とする請求項１又は請求項２記載の靴底用中敷。
【請求項４】
前記液体が水又は水と多価アルコールとの混合液であることを特徴とする請求項１〜請求項３の何れか１つに記載の靴底用中敷。
【請求項５】
任意位置に立体形状が造り込まれたカップインソールに前記中敷本体を具備させ、靴底に装着可能とされたことを特徴とする請求項１〜請求項４の何れか１つに記載の靴底用中敷。
【発明の詳細な説明】
【技術分野】
【０００１】
本発明は、靴底に装着し得る靴底用中敷に関するものである。
【背景技術】
【０００２】
靴底に装着して足裏へ付与される衝撃を緩和することを目的とした靴底用中敷（インソール）として、従来、例えば特許文献１にて開示されたものが挙げられる。かかる文献で開示された靴底用中敷は、可撓性を有する被覆材の内部に液体を流動可能に封入したものから成り、衝撃の緩和に加え、液体の流動による被覆材の僅かな膨らみと、それによる押圧効果をも奏するよう構成されていた。
【特許文献１】特開２０００−１９７５０４号公報
【発明の開示】
【発明が解決しようとする課題】
【０００３】
しかしながら、上記従来の靴底用中敷においては、被覆材にて形成された液体の収容空間が当該中敷の略全域に亘って単に１つ形成されているため、歩行時における液体の移動を理想的に設定することが困難となっており、足裏に対する衝撃の緩和効果及び押圧効果が十分でないという問題があった。
【０００４】
特に、靴底用中敷と足裏の土踏まずとの間には、通常、隙間が生じるのであるが、従来の靴底用中敷においては、歩行時、内在する液体が踵部からつま先部に亘り素早く流動してしまうため、踵部とつま先部との間に位置する中間部（特に土踏まず部）には当該液体が滞留せず、足裏の土踏まずに対する押圧効果が不十分であるという問題もあった。
【０００５】
本発明は、このような事情に鑑みてなされたもので、足裏に対する衝撃の緩和を図ることができるとともに、足裏の土踏まずに対する押圧効果を十分に行わせることができる靴底用中敷を提供することにある。
【課題を解決するための手段】
【０００６】
請求項１記載の発明は、靴底に装着可能であるとともに可撓性部材から成る中敷本体と、該中敷本体内に形成され、液体を流動可能に封入し得る収容空間と、前記収容空間を靴底のつま先領域、踵領域及びそれらの間に位置する中間領域に区分けする堰部と、該堰部で区分けされた隣り合う領域間で、前記液体が流動するオリフィス部とを備えた靴底用中敷であって、前記踵領域と中間領域とを区分けする堰部に形成されたオリフィス部は、前記中敷本体の側縁部に向かって開口し、当該踵領域から流動する液体が当該中間領域略全体に亘って渦流を形成可能としたことを特徴とする。
【０００７】
請求項２記載の発明は、請求項１記載の靴底用中敷において、前記踵領域と中間領域とを区分けする堰部に形成されたオリフィス部は、前記中敷本体の側縁部であって当該中敷本体が装着される靴の土踏まず部に相当する位置に向かって開口したことを特徴とする。
【０００８】
請求項３記載の発明は、請求項１又は請求項２記載の靴底用中敷において、前記中敷本体は、柔軟な合成樹脂シートから成ることを特徴とする。
【０００９】
請求項４記載の発明は、請求項１〜請求項３の何れか１つに記載の靴底用中敷において、前記液体が水又は水と多価アルコールとの混合液であることを特徴とする。
【００１０】
請求項５記載の発明は、請求項１〜請求項４の何れか１つに記載の靴底用中敷において、任意位置に立体形状が造り込まれたカップインソールに前記中敷本体を具備させ、靴底に装着可能とされたことを特徴とする。
【発明の効果】
【００１１】
請求項１の発明によれば、歩行タイミングに合致して必要な部位への理想的な液体の移動を実現させることができるので、足裏に対する衝撃の緩和を図ることができるとともに、踵領域から流動する液体が中間領域略全域にて渦流を形成させるので、その部位において厚み方向に一層膨らませることができ、足裏の土踏まずに対する押圧効果を十分に行わせることができる。
【００１２】
請求項２の発明によれば、踵領域と中間領域とを区分けする堰部に形成されたオリフィス部は、中敷本体の側縁部であって当該中敷本体が装着される靴の土踏まず部に相当する位置に向かって開口しているので、より確実に土踏まずへの押圧効果を行わせることができる。
【００１３】
請求項３の発明によれば、中敷本体は、柔軟な合成樹脂シートから成るので、液体の流動に伴って中敷本体の厚さ方向にスムーズに膨らみを持たせ、押圧効果を容易且つ確実に奏することができるとともに、輪郭形状の裁断や堰の形成等を容易に行わせることができる。
【００１４】
請求項４の発明によれば、収容空間に封入される液体を水とすれば、より安価に靴底用中敷を製造することができるとともに、収容空間に封入される液体を水と多価アルコールとの混合液とすれば、中敷本体内で液体が凍ってしまうことを回避することができる。また、長期使用しても中敷本体を透過して外部へ発散してしまうのを抑制することができる。
【００１５】
請求項５の発明によれば、任意位置に立体形状が造り込まれたカップインソールに中敷本体を具備させたので、当該立体形状による任意位置の足裏に対する押圧効果を更に向上させることができる。
【発明を実施するための最良の形態】
【００１６】
以下、本発明の実施形態について図面を参照しながら具体的に説明する。
第１の実施形態に係る靴底用中敷は、靴底に装着され得る中敷（インソール）から成るものであり、図１及び図２に示すように、上側中敷本体１ａ及び下側中敷本体１ｂを接着して内部に液体としての液体Ｗを封入して成る中敷本体と、第１堰部２ａ、２ｂと、第２堰部３ａ、３ｂと、第３堰部４とから主に構成されている。
【００１７】
上側中敷本体１ａ及び下側中敷本体１ｂは、靴底に装着可能なように当該靴底の形状に略倣った形状とされた２枚の可撓性部材（例えば弾性に富んで柔軟な合成樹脂シート）から成るものであり、それぞれを重ね合わせつつ互いの縁部５を例えば熱溶着にて接着させることにより、内部に液体Ｗを液密に収容する収容空間が形成されている。尚、上側中敷本体１ａ及び下側中敷本体１ｂとしての材質は、所定の耐久性及び可撓性を有していれば、他の材料（種々プラスチックや合成樹脂等）を用いることができる。
【００１８】
また、中敷本体内に収容される液体Ｗは、多価アルコールの水溶液（例えば水とプロピレングリコール等を混合して得られた不凍液等）から成るものであり、当該多価アルコールが５（ｗｔ％）〜６５（ｗｔ％）の水溶液、特に好ましくは３０（ｗｔ％）〜６０（ｗｔ％）の水溶液である。多価アルコールの粘度は、常温で１（ＣＰ）〜５００（ＣＰ）の範囲であればよく、１（ＣＰ）〜１００（ＣＰ）程度が好ましく、１（ＣＰ）〜６０（ＣＰ）程度が更に好ましい。尚、中敷本体内に収容される液体を水のみ（微量の添加物を含有するもの含む）或いは多価アルコールのみとしてもよい。
【００１９】
第１堰部２ａ、２ｂ及び第２堰部３ａ、３ｂは、２枚の中敷本体の所定部位を例えば熱溶着にて接着させ、当該中敷本体が成す収容空間をつま先領域Ａ、踵領域Ｃ及びそれらの間に位置する中間領域Ｂに区分けするものである。即ち、中敷本体が靴底に装着された際のつま先部に相当する領域がつま先領域Ａ、踵部に相当する領域が踵領域Ｃ、それらの中間の領域が中間領域Ｂとなるよう、第１堰部２ａ、２ｂ及び第２堰部３ａ、３ｂが形成されているのである。
【００２０】
これら堰部２ａ、２ｂ及び３ａ、３ｂは、上側中敷本体１ａ及び下側中敷本体２の接着された縁部５（側縁部５ａ、５ｂ）からそれぞれ内側に向かって延びるとともに、先端が離間してオリフィス部Ｒ１及びＲ２を構成している。これらオリフィス部Ｒ１及びＲ２は、堰部２ａ、２ｂ及び３ａ、３ｂで区分けされた隣り合う領域間で内在する液体Ｗが流動するよう離間寸法が設定されており、これにより踵領域Ｃに荷重が付与された際、オリフィスＲ２、Ｒ１を介して当該踵領域Ｃの液体Ｗが中間領域Ｂ及びつま先領域Ａへ順次流動するとともに、つま先領域Ａに荷重が付与された際、オリフィスＲ１、Ｒ２を介して当該つま先領域Ａの液体Ｗが中間領域Ｂ及び踵領域Ｃへ順次流動し得るようになっている。
【００２１】
即ち、中敷本体の長手方向に亘って「つま先領域Ａ」「中間領域Ｂ」「踵領域Ｃ」に区分けしてそれぞれの小室を形成するとともに、隣り合う領域間で内在する水の流動を許容するオリフィス部Ｒ１及びＲ２を形成したことにより、かかる中敷が装着された靴を履いた者が歩行する際、歩行タイミングに応じて水が踵領域Ｃから中間領域Ｂへ、且つ、つま先領域Ａから中間領域Ｂへ流動するので、足裏の押圧効果を高めることができる。
【００２２】
尚、つま先領域Ａの先端側には、靴底のつま先形状に倣った部位（先端領域Ｄ）が形成されているが、かかる第２つま先領域Ａには液体Ｗが収容されておらず、且つ、つま先領域Ａからの液体Ｗの流動がなされない。かかる先端領域Ｄを更に延出して、装着する靴底の大きさに応じてハサミ等で切断し得る部位を設けてもよい。
【００２３】
ここで、本実施形態におけるオリフィス部Ｒ２は、中敷本体の側縁部（５ａ、５ｂ）であって当該中敷本体が装着される靴の土踏まず部に相当する位置（即ち、図１中右側の側縁部５ａ）に向かって開口しており、踵領域Ｃから流動する液体Ｗが中間領域Ｂの略全域に亘って渦流を形成可能とされている。すなわち、オリフィス部Ｒ２の開口が中敷本体の長手方向に対して側縁部５ａ側に偏向していることにより、歩行時に踵領域Ｃに荷重が付与されると、図１中矢印の如く液体Ｗが中間領域Ｂの略全域に亘って大きく渦巻き状に流動し、当該中間領域Ｂにおいて液体Ｗが停滞し易くなっているのである。
【００２４】
従って、中敷本体の側縁部であって当該中敷本体が装着される靴の土踏まず部に相当する位置に向かってオリフィス部Ｒ２が開口しているので、中間領域Ｂの土踏まず側における厚み方向への膨らみを持たせ、より確実に土踏まずへの押圧効果を行わせることができる。尚、本実施形態においては、オリフィス部Ｒ１の開口が側縁部５ｂ側に偏向されており、つま先領域Ａに荷重が付加された際、中間領域Ｂに流動する液体Ｗが渦流を形成し得るようになっている。
【００２５】
然るに、オリフィス部Ｒ２を介して踵領域Ｃから中間領域Ｂに流動する液体Ｗは、人の歩行速度に基づき中間領域Ｂの膨らみをより大きく行わせ得る流量に設定するのが好ましく、例えば特定の歩速（一定の時間）内に踵領域Ｃから中間領域に向かって当該踵領域Ｃの液体Ｗの８割以上が移動するよう構成するのが好ましい。具体的には、液体Ｗが踵領域Ｃから中間領域Ｂに向かって４（ｍｌ／秒）〜２５（ｍｌ／秒）、より好ましくは５（ｍｌ／秒）〜１５（ｍｌ／秒）の流量で移動するようオリフィス部Ｒ２を形成するのが好ましい。
【００２６】
また、土踏まず部に相当する位置における側縁部５ａは、外方（図１中右側）へ略円弧状に膨出して膨出部Ｂａが形成されており、オリフィス部Ｒ２を介して流動した液体Ｗは、当該膨出部Ｂａの膨出形状に倣って流動し中間領域Ｂに至ることとなる。
【００２７】
次に、本実施形態に係る靴底用中敷の作用について説明する。
底に中敷本体が装着された靴を履いて歩行する際、足裏接床時において踵から踵領域Ｃに圧力付与されると、オリフィス部Ｒ２から中間領域Ｂへ液体Ｗが流れ渦流を形成するので、その部位（特に土踏まず部に相当する膨出部Ｂａ）における厚さ方向に中敷本体が膨らむ。
【００２８】
この膨らみにより、足裏の土踏まずと膨出部Ｂａとの間の隙間が埋まり、踵領域Ｃから中間領域に体重移動がなされる際、当該土踏まずにも体重による負荷が分散され、足裏全体で体重を支えることとなる。従って、歩行タイミングに合致して必要な部位への理想的な液体Ｗの移動を実現させることができるので、足裏に対する衝撃の緩和を図ることができる。同時に、踵領域Ｃから流動する液体Ｗが中間領域Ｂの略全域に亘って渦流を形成させるので、その部位において厚み方向に一層膨らませることができ、足裏の土踏まずに対する押圧効果を十分に行わせることができる。
【００２９】
次に、本発明に係る第２の実施形態について説明する。
本実施形態に係る靴底用中敷は、第１の実施形態と同様、靴底に装着され得る中敷（インソール）から成るものであり、図３に示すように、上側中敷本体１ａ及び下側中敷本体１ｂを接着して内部に液体としての液体Ｗを封入して成る中敷本体と、第１堰部２ａ、２ｂと、第２堰部３ａ、３ｂと、第３堰部４とから主に構成されている。尚、第１の実施形態と同様な構成については、その詳細な説明を省略する。
【００３０】
第２堰部のうち、図中左側の第２堰部３ａは、右側の第２堰部３ｂ先端との離間に加え、左側の側縁部５ｂからも離間して形成されており、当該側内部５ｂとの間でオリフィス部Ｒ３が形成されている。然るに、踵領域Ｃから中間領域Ｂへの液体Ｗの流入は、主にオリフィス部Ｒ２を介して行われ、オリフィス部Ｒ３を介する液体Ｗの流入は中間領域Ｂにて形成される渦流をあまり妨げない程度とされる。
【００３１】
即ち、踵領域Ｃに荷重が付与されると、同領域から、オリフィス部Ｒ２を介して中間領域Ｂに液体Ｗが流入し、第１の実施形態と同様、オリフィス部Ｒ２からの流動により当該中間領域Ｂの略全域に亘って大きな渦流が形成されるとともに、オリフィス部Ｒ３からも液体Ｗが流入して、踵領域Ｃに付与される荷重に対する衝撃緩和を図り得るようになっている。これにより、足裏に対する衝撃の緩和を図ることができると同時に、足裏の土踏まずに対する押圧効果を十分に行わせることができる。
【００３２】
次に、本発明に係る第３の実施形態について説明する。
本実施形態に係る靴底用中敷は、先の実施形態と同様、靴底に装着され得る中敷（インソール）から成るものであり、図４に示すように、上側中敷本体１ａ及び下側中敷本体１ｂを接着して内部に液体としての液体Ｗを封入して成る中敷本体と、第１堰部２ａ、２ｂと、第２堰部３ａ、３ｂと、第３堰部４とから主に構成されている。尚、第２の実施形態と同様な構成については、その詳細な説明を省略する。
【００３３】
第１堰部のうち、図中左側の第１堰部２ａは、右側の第１堰部２ｂ先端との離間に加え、左側の側縁部５ｂからも離間して形成されており、当該側内部５ｂとの間でオリフィス部Ｒ４が形成されている。即ち、つま先領域Ａに荷重が付与されると、同領域から、オリフィス部Ｒ１及びＲ４を介して中間領域Ｂに液体Ｗが流入し、第１の実施形態と同様、オリフィス部Ｒ１からの流動により当該中間領域Ｂの略全域に亘って大きな渦流が形成されることとなる。
【００３４】
次に、本実施形態に係る第４の実施形態について説明する。
本実施形態に係る靴底用中敷は、先の実施形態と同様、靴底に装着され得る中敷（インソール）から成るものであり、図５に示すように、土踏まず部の位置に膨出部を形成しないものである。この靴底用中敷によっても、踵領域Ｃに負荷を付与すれば、中間領域Ｂ略全域において図中矢印の如き大きな渦流が形成され、土踏まずへの押圧効果を向上させることができる。
【００３５】
次に、本実施形態に係る第５の実施形態について説明する。
本実施形態に係る靴底用中敷は、先の実施形態と同様、靴底に装着され得る中敷（インソール）から成るものであり、図６に示すように、土踏まず部の位置に膨出部を形成せず、且つ、踵領域Ｃと中間領域Ｂとを区分けする堰部のうち左側の堰部３ａが右側の堰部３ｂ先端と離間しつつ側縁部５ｂとも離間し、オリフィス部Ｒ２、Ｒ３を形成するものである。
【００３６】
次に、本発明に係る他の実施形態について説明する。
本実施形態においては、例えば図７及び図９に示すように、立体形状として外輪郭縁から突出した突出縁部６ａを有した樹脂成形品から成るカップインソール６に上述した何れかの中敷本体１を具備させ、靴底に装着可能とされたものである。また、他の実施形態に係るカップインソールとして、図８及び図１０に示すように、突出縁部６ａに加え、中敷本体１側に対して厚み方向に一部突出した盛り上がり部６ｂが形成された樹脂成形品から成るものであってもよい。この実施形態によれば、特に盛り上がり部６ｂが形成された任意位置の足裏に対する押圧効果を更に向上させることができる。尚、カップインソール６は、上記の形態の他、図１１で示すように、突出縁部６ａが形成されつつ上面又は底面が傾斜したもの等としてもよい。また、中敷本体１の上面側を布等で覆い、当該布等と樹脂成形品とで中敷本体１を内在させたものとしてもよい。
【００３７】
次に、上記靴底用中敷の効果を実証するための実験結果について説明する。
本実験においては、図１２に示すように、床面に硬質樹脂から成るシート材ａを載置しておき、その上に比較対象とされる中敷ｂ（素足の実験の場合にはない）、靴底に装着される薄革部材ｃ及び圧力分布を測定するためのセンサシートｄを順に積層しておく。そして、第１の実施形態のもの（図１参照）を実施例１、第２の実施形態のもの（図３参照）を実施例２、及び第３の実施形態のもの（図４参照）を実施例３とするとともに、素足のものを比較例１、図１３で示す靴底用中敷を比較例２とする。
【００３８】
比較例１は、靴底用中敷を設置せず、単に薄革部材ｃ上にセンサシートｄが積層されているのみである。また、比較例２の靴底用中敷は、図１３に示すように、つま先領域Ａと中間領域Ｂとを区分けする堰部ｂと、中間領域Ｂと踵領域Ｃとを区分けする堰部ｃと、中間領域Ｂと膨出部Ｂａとを区分けする堰部ｄと、つま先領域Ａａと第２つま先領域Ａｂとを区分けする堰部ａとを有しており、これら堰部ａ〜ｄにはオリフィス部Ｒａ〜Ｒｇが形成されている。中敷本体の大きさ、形状及び材質等については、実施例１〜３と同様とする。
【００３９】
そして、センサシートｄ上に足を載せて略均等に体重をかけ、比較例１、２及び実施例１〜３における設置面積（中敷本体と足裏との接触面積）を測定したところ、以下の表１の如き結果が得られた。
【００４０】
【表１】
2007301275.tif 000003
【００４１】
上記表１からも分かるように、実施例１〜３のものは、何れも比較例１、２のものよりも接地面積が広く、体重を略均等に分散させて足裏に対する衝撃の緩和を図り得ることが分かる。また、特に土踏まずに対して接地面積が増加しており、かかる土踏まずの位置においては、別途の実験により、その圧力が０．２×１０４〜０．８×１０４（kgw/m2）となっていることから、適度な刺激で土踏まずを押圧していると認められる。従って、実施例１〜３によれば、特に土踏まずへの押圧機能を高めたことが分かる。
【００４２】
更に、上記比較例１、２及び実施例１〜３に加え、第４の実施形態のもの（図５参照）を実施例４、第５の実施形態のもの（図６参照）を実施例５として実験対象に加え、それぞれの圧力分布について測定した。その得られた測定結果を図１４〜図２０に示す。尚、図１４は比較例１、図１５は比較例２、図１６は実施例１、図１７は実施例２、図１８は実施例３、図１９は実施例４及び図２０は実施例５の圧力分布である。これら圧力分布を示す図からも分かるように、実施例のものは比較例のものと比べて、土踏まずの部分で接地面積が増大している分、体重を略均等に分散させて足裏に対する衝撃の緩和を図っているのが分かる。
【００４３】
以上、本実施形態に係る靴底用中敷について説明したが、本発明はこれに限定されるものではなく、例えば図５に示すように、土踏まず部の位置に膨出部を形成しないものとしてもよい。かかる靴底用中敷は、つま先部Ａよりも先端側に液体Ｗを収容しない先端領域Ｄが形成されており、装着する靴底の大きさに応じてハサミ等で切断して用いるよう構成されている。
【００４４】
この靴底用中敷によっても、踵領域Ｃに負荷を付与すれば、中間領域Ｂ略全域において図中矢印の如き大きな渦流が形成され、土踏まずへの押圧効果を向上させることができる。尚、例えば図６に示すように、踵領域Ｃと中間領域Ｂとを区分けする堰部のうち左側の堰部３ａが右側の堰部３ｂ先端と離間しつつ側縁部５ｂとも離間し、オリフィス部Ｒ２、Ｒ３を形成するものとしてもよい。
【００４５】
以上、本実施形態に係る靴底用中敷について説明したが、本発明はこれに限定されるものではなく、中敷本体内に収容される液体Ｗに代えて他の液体（例えば所定の粘性を持ったオイル状のもの等）を用いることができる。但し、水を中敷本体に封入する構成とすれば、靴底用中敷の製造コストを低減することができる。また更に、中敷本体を柔軟な合成樹脂シートに代えて、他の可撓性部材から成るものとしてもよい。但し、中敷本体を柔軟な合成樹脂シートで構成すれば、液体の流動に伴って中敷本体の厚さ方向にスムーズに膨らみを持たせ、押圧効果を容易且つ確実に奏することができるとともに、輪郭形状の裁断や堰の形成等を容易に行わせることができる。
【産業上の利用可能性】
【００４６】
踵領域と中間領域とを区分けする堰部に形成されたオリフィス部は、中敷本体の側縁部に向かって開口し、当該踵領域から流動する液体が当該中間領域略全域に亘って渦流を形成可能とした靴底用中敷であれば、外観形状が異なるもの或いは他の機能が付加されたものにも適用することができる。
【図面の簡単な説明】
【００４７】
【図１】本発明の第１の実施形態に係る靴底用中敷を示す平面図
【図２】図１におけるＩＩ−ＩＩ線断面図
【図３】本発明の第２の実施形態に係る靴底用中敷を示す平面図
【図４】本発明の第３の実施形態に係る靴底用中敷を示す平面図
【図５】本発明の他の実施形態に係る靴底用中敷を示す平面図
【図６】本発明の更に他の実施形態に係る靴底用中敷を示す平面図
【図７】本発明のカップインソールを用いた実施形態を示す斜視図
【図８】本発明のカップインソールを用いた他の実施形態を示す平面模式図
【図９】図７中ＩＸ−ＩＸ線断面模式図
【図１０】図８中Ｘ−Ｘ線断面模式図
【図１１】本発明のカップインソールを用いた更に他の実施形態を示す断面模式図
【図１２】本発明の実施形態の靴底用中敷の効果を実証するための実験態様を示す模式図
【図１３】同実験における比較例２に係る靴底用中敷を示す模式図
【図１４】同実験における比較例１に係る圧力分布を示す模式図
【図１５】同実験における比較例２に係る圧力分布を示す模式図
【図１６】同実験における実施例１に係る圧力分布を示す模式図
【図１７】同実験における実施例２に係る圧力分布を示す模式図
【図１８】同実験における実施例３に係る圧力分布を示す模式図
【図１９】同実験における実施例４に係る圧力分布を示す模式図
【図２０】同実験における実施例５に係る圧力分布を示す模式図
【符号の説明】
【００４８】
１ａ  上側中敷本体
１ｂ  下側中敷本体
２ａ、２ｂ  第１堰部
３ａ、３ｂ  第２堰部
４    第３堰部
５    縁部
５ａ  側縁部（土踏まず側）
５ｂ  側縁部
６    カップインソール
６ａ、６ｂ  立体形状
Ａ  つま先領域
Ｂ    中間領域
Ｃ    踵領域
Ｄ    先端領域
Ｒ１〜Ｒ４  オリフィス部
Ｗ    液体
【図１】
2007301275.tif 000004
【図２】
2007301275.tif 000005
【図３】
2007301275.tif 000006
【図４】
2007301275.tif 000007
【図５】
2007301275.tif 000008
【図６】
2007301275.tif 000009
【図７】
2007301275.tif 000010
【図８】
2007301275.tif 000011
【図９】
2007301275.tif 000012
【図１０】
2007301275.tif 000013
【図１１】
2007301275.tif 000014
【図１２】
2007301275.tif 000015
【図１３】
2007301275.tif 000016
【図１４】
2007301275.tif 000017
【図１５】
2007301275.tif 000018
【図１６】
2007301275.tif 000019
【図１７】
2007301275.tif 000020
【図１８】
2007301275.tif 000021
【図１９】
2007301275.tif 000022
【図２０】
2007301275.tif 000023